(57)【要約】  本発明は、スマートフォン又は他の電子装置から販売時点情報管理システム（ＰＯＳ：Ｐｏｉｎｔ  ｏｆ  Ｓａｌｅ）トランザクション端末中にペイメント・カードのデータを送信するベースバンド近距離磁気ストライプ・データ送信機（ＭＳＴ）のためのシステム及び方法について述べる。ＭＳＴ装置は、ドライバ及びインダクタを含む。ＭＳＴは、ペイメント・カードのデータを含む磁気ストライプ・データを受信し、受信された磁気ストライプ・データを処理し、処理済み磁気ストライプ・データを含む高エネルギー磁気パルスを送出し、それは、次いで、ＰＯＳの磁気ストライプ・リーダによって遠隔で受信される。
2016507104.tif 000002
【特許請求の範囲】
【請求項１】
ベースバンド近距離磁気ストライプ・データ送信機のためのシステムであって、
支払いお財布アプリケーションを含み、ペイメント・カードの磁気ストライプ・データを含むパルスのストリームを送信するように構成される携帯電話と、
ドライバ及びインダクタを含む磁気ストライプ送信（ＭＳＴ）装置とを含み、
前記ＭＳＴ装置は、前記携帯電話から前記パルスのストリームを受信し、前記受信されたパルスのストリームを増幅し、成形し、前記磁気ストライプ・データを含む高エネルギー磁気パルスを生成し、送出するように構成され、
前記送出された高エネルギー磁気パルスは、磁気読み出しヘッドによって遠隔で検出されるように構成され、
前記インダクタは、１つ又は複数の巻線を含み、
前記１つ又は複数の巻線は、磁束線を発生するように構成され、前記磁束線は、前記磁気読み出しヘッドの検知開口部を含むのに、且つ適正にタイミングを合わされた電流パルスがその最大値に到達するように設定されるインダクタンス値を生成するのに十分に広い寸法を持つようにされた領域にわたって広げられ、それによって前記磁気読み出しヘッド中に最大誘導電圧が生じる、システム。
【請求項２】
前記磁気読み出しヘッドは、前記高エネルギー磁気パルスを電気パルスに変換する、請求項１に記載のシステム。
【請求項３】
前記磁気読み出しヘッドは、販売時点情報管理システム（ＰＯＳ）装置中に含まれ、
前記ＰＯＳ装置は、中央処理装置（ＣＰＵ）をさらに含む、請求項２に記載のシステム。
【請求項４】
前記ＭＳＴ装置は、磁気ストライプ・カード・データを検出するように構成される磁気ストライプ・リーダ（ＭＳＲ）ヘッドをさらに含む、請求項１に記載のシステム。
【請求項５】
前記送出された高エネルギー磁気パルスは、前記磁気読み出しヘッドによって遠隔で、２．５４〜５．０８ｃｍ（１〜２インチ）の範囲の距離から検出される、請求項２に記載のシステム。
【請求項６】
前記ドライバは、高出力ドライバ回路を含む、請求項１に記載のシステム。
【請求項７】
前記１つ又は複数の巻線の前記インダクタンス値と前記抵抗値の比が、１０μＨ／オームと８０μＨ／オームの間の範囲にある、請求項１に記載のシステム。
【請求項８】
前記１つ又は複数の巻線は、エナメル絶縁磁気ワイヤを含む、請求項１に記載のシステム。
【請求項９】
前記１つ又は複数の巻線は、剛性又は可撓性のプリント回路基板上にレイアウトされたコンダクタ・トレースを含む、請求項１に記載のシステム。
【請求項１０】
前記１つ又は複数の巻線は、矩形に形作られた巻線を含む、請求項１に記載のシステム。
【請求項１１】
前記ＭＳＴ装置は、前記携帯電話から前記携帯電話のオーディオ・ジャックへの有線接続を介して前記磁気ストライプ・データを受信するように構成される、請求項１に記載のシステム。
【請求項１２】
前記ＭＳＴ装置は、前記携帯電話から無線接続を介して前記磁気ストライプ・データを受信するように構成される、請求項１に記載のシステム。
【請求項１３】
前記ＭＳＴ装置は、前記携帯電話からブルートゥース（商標）無線接続を介して前記磁気ストライプ・データを受信するように構成される、請求項１に記載のシステム。
【請求項１４】
前記携帯電話は、別個のセキュア無線メッセージを送信するようにさらに構成され、
前記磁気ストライプ・データ及び前記別個のセキュア無線メッセージは、認証目的のために組み合わされる、請求項１に記載のシステム。
【請求項１５】
セキュア・マイクロコントローラをさらに含み、
前記セキュア・マイクロコントローラは、前記ペイメント・カードのデータのセキュア・ローカル記憶を形成し、前記ドライバのインダクタ・ドライバ回路を直接駆動する、請求項１に記載のシステム。
【請求項１６】
前記ＭＳＴ装置は、前記セキュア・マイクロコントローラを使用して、前記ペイメント・カードのデータの一部又は全部を暗号化する、請求項１５に記載のシステム。
【請求項１７】
ペイメント・カードのデータ及び他の個人情報の安全確実な記憶のために揮発性及び不揮発性のメモリをさらに含む、請求項１に記載のシステム。
【請求項１８】
前記ペイメント・カードの前記磁気ストライプ・データは、カード照合値（ＣＶＶ）データを含み、
トランザクションのセキュリティが、前記ＣＶＶデータを動的に変化させることによって高められる、請求項１に記載のシステム。
【請求項１９】
前記送出された高エネルギー磁気パルスは、トークン化された磁気ストライプ・データを含む、請求項１に記載のシステム。
【請求項２０】
前記トークン化された磁気ストライプ・データは、暗号化して生成されたトークンを含み、
前記暗号化して生成されたトークンは、トラック・データとしてフォーマットされる、請求項１９に記載のシステム。
【請求項２１】
前記送出された高エネルギー磁気パルスは、２つ以上のトラック・データを含む、請求項１に記載のシステム。
【請求項２２】
前記磁気ストライプ・データ以外のデータが、磁気ストライプ・データに似たものとなるようにフォーマットされ、
前記フォーマットされたデータは、前記ＭＳＴ装置を介してＰＯＳ装置の磁気読み出しヘッドに送られる、請求項１に記載のシステム。
【請求項２３】
前記ＭＳＴ装置は、ＰＯＳ装置の磁気読み出しヘッドにクーポン及び申込みを送信するようにさらに構成される、請求項１に記載のシステム。
【請求項２４】
前記ＭＳＴ装置は、顧客の個人情報をＰＯＳ装置の磁気読み出しヘッドに送信するようにさらに構成される、請求項１に記載のシステム。
【請求項２５】
ドライバと、インダクタと、第１の磁気読み出しヘッドとを含む磁気ストライプ送信（ＭＳＴ）装置であって、
前記ＭＳＴ装置は、ペイメント・カードのデータを含む磁気ストライプ・データを受信し、前記受信された磁気ストライプ・データを処理し、前記処理済み磁気ストライプ・データを含む高エネルギー磁気パルスを送出するように構成され、
前記インダクタは、タイミングを合わされた電流パルスによって駆動されて、移動している磁気ストライプによって生成された変動磁場に似ている一連の磁気パルスがもたされることになり、
前記送出された高エネルギー磁気パルスは、販売時点情報管理システム（ＰＯＳ）装置中に含まれた第２の磁気読み出しヘッドによって遠隔で検出されるように構成され、
前記ＭＳＴ装置の前記第１の磁気読み出しヘッドは、前記ＭＳＴ装置のセキュア・メモリ中に、又はお財布携帯中に記憶するために、磁気ストライプ・ペイメント・カードのデータを読み出すように構成される、磁気ストライプ送信（ＭＳＴ）装置。
【請求項２６】
ベースバンド近距離磁気ストライプ・データ送信機のためのシステムであって、
支払いお財布アプリケーションを含み、ペイメント・カードの磁気ストライプ・データを含むパルスのストリームを送信するように構成される携帯電話と、
ドライバ及びインダクタを含む磁気ストライプ送信（ＭＳＴ）装置と
を含み、
前記ＭＳＴ装置は、前記携帯電話から前記パルスのストリームを受信し、前記受信されたパルスのストリームを増幅し、成形し、前記磁気ストライプ・データを含む高エネルギー磁気パルスを生成し、送出するように構成され、
前記送出された高エネルギー磁気パルスは、磁気読み出しヘッドによって遠隔で検出されるように構成され、
前記インダクタは、１つ又は複数の巻線を含み、
前記１つ又は複数の巻線は、磁束線を発生するように構成され、前記磁束線は、前記磁気読み出しヘッドの検知開口部を含むのに、且つ適正にタイミングを合わされた電流パルスがその最大値に到達するように設定されるインダクタンス値を生成するのに十分に広い寸法を持つようにされた領域にわたって広げられ、それによって前記磁気読み出しヘッド中に最大誘導電圧が生じ、
前記１つ又は複数の巻線は、矩形に形作られた巻線を含む、システム。
【請求項２７】
ベースバンド近距離磁気ストライプ・データ送信機のためのシステムであって、
支払いお財布アプリケーションを含み、ペイメント・カードの磁気ストライプ・データを含むパルスのストリームを送信するように構成される携帯電話と、
ドライバ及びインダクタを含む磁気ストライプ送信（ＭＳＴ）装置とを含み、
前記ＭＳＴ装置は、前記携帯電話から前記パルスのストリームを受信し、前記受信されたパルスのストリームを増幅し、成形し、前記磁気ストライプ・データを含む高エネルギー磁気パルスを生成し、送出するように構成され、
前記インダクタは、タイミングを合わされた電流パルスによって駆動されて、移動している磁気ストライプによって生成された変動磁場に似ている一連の磁気パルスがもたされることになる、システム。
【請求項２８】
前記インダクタは、１つ又は複数の巻線を含み、
前記１つ又は複数の巻線は、磁束線を発生するように構成され、前記磁束線は、磁気読み出しヘッドの検知開口部を含むのに、且つ適正にタイミングを合わされた電流パルスがその最大値に到達するように設定されるインダクタンス値を生成するのに十分に広い寸法を持つようにされた領域にわたって広げられ、それによって前記磁気読み出しヘッド中に最大誘導電圧が生じる、請求項２７に記載のシステム。
【発明の詳細な説明】
【技術分野】
【０００１】
本出願は、２０１３年１月２０日出願の「ベースバンド近距離磁気ストライプ・データ送信機のためのシステム及び方法（ＳＹＳＴＥＭ  ＡＮＤ  ＭＥＴＨＯＤ  ＦＯＲ  Ａ  ＢＡＳＥＢＡＮＤ  ＮＥＡＲＦＩＥＬＤ  ＭＡＧＮＥＴＩＣ  ＳＴＲＩＰＥ  ＤＡＴＡ  ＴＲＡＮＳＭＩＴＴＥＲ）」と題する米国仮特許出願第６１／７５４，６０８号に基づき優先権を主張し、これは本願の譲受人に譲渡されたものであり、その内容は、参照により本明細書に明示的に援用される。
【０００２】
本出願は、２０１３年３月１４日出願の「ベースバンド近距離磁気ストライプ・データ送信機のためのシステム及び方法（ＳＹＳＴＥＭ  ＡＮＤ  ＭＥＴＨＯＤ  ＦＯＲ  Ａ  ＢＡＳＥＢＡＮＤ  ＮＥＡＲＦＩＥＬＤ  ＭＡＧＮＥＴＩＣ  ＳＴＲＩＰＥ  ＤＡＴＡ  ＴＲＡＮＳＭＩＴＴＥＲ）」と題する米国特許出願第１３／８２６１０１号の継続出願であり、それに基づき優先権を主張し、これは本願の譲受人に譲渡されたものであり、その内容は、参照により本明細書に明示的に援用される。
【０００３】
本発明は、ベースバンド近距離磁気ストライプ・データ送信機のためのシステム及び方法に関し、詳細には、スマートフォン又は他の電子装置から販売時点情報管理システム・トランザクション端末中にペイメント・カードのデータを送信する磁気ストライプ・データ送信機に関する。
【背景技術】
【０００４】
磁気ストライプ・ペイメント・カードは、ペイメント・カードのデータを含む磁気ストライプを担持する。磁気ストライプ・ペイメント・カードは、とりわけクレジット・カード、デビット・カード、ギフト・カード及びクーポン・カードを含む。データは、ストライプ中に埋め込まれた磁性粒子の配向を交互にすることによって、磁気ストライプ上に「書き込まれる」。カード・データは、カードを磁気ストライプ・リーダに通すことによって、販売時点情報管理システム（ＰＯＳ：Ｐｏｉｎｔ  ｏｆ  Ｓａｌｅ）で磁気ストライプから読み出される。リーダは、リーダ・ヘッド及びその関連復号回路構成を含む。リーダにカードを通したとき、磁気ストライプは、リーダ・ヘッドの前を移動する。交互に代わる極性磁区を含む磁気ストライプが移動すると、リーダ・ヘッドの狭い検知開口部内で変動磁場が生じる。リーダ・ヘッドは、この変動磁場を等価の電気信号に変換する。復号回路構成は、この電気信号を増幅し、デジタル化して、当初磁気ストライプ上に書き込まれたのと同じデータ・ストリームを再現する。磁気ストライプのコード化は、国際規格ＩＳＯ７８１１及び７８１３に述べられている。
【０００５】
スマートフォンの普及と能力が高まるにつれて、お財布携帯としてそれらを使用し、その財布を使用して販売時点情報管理システムで支払いを済ましたいという要求が、ますます強くなっている。その採用に対する主な障害は、携帯電話と販売時点情報管理システム端末の間にデータ送信チャネルがなかったことである。いくつかの代替案が提案されている。これらは、携帯電話のスクリーン上に表示されたデータのＰＯＳ端末中への手動によるキー入力、携帯電話のスクリーン上に表示され、２次元バーコードリーダによって読み出される２次元バーコード、携帯電話に付随する無線周波数（ＲＦ）のＩＤタグ、及び携帯電話中のアプリケーションによって駆動される、内蔵の近距離無線通信（ＮＦＣ：Ｎｅａｒ  Ｆｉｅｌｄ  Ｃｏｍｍｕｎｉｃａｔｉｏｎｓ）ハードウェアを含む。これらの方法の中で、２次元バーコード及びＮＦＣは、最も期待できる。しかし、それらの広範な採用は、販売時点情報管理システムにおいて適切な読み出し装置の欠落によって妨げられており、また、ＮＦＣの場合、標準化されたＮＦＣ能力が多くのスマートフォンにないことによって妨げられている。
【先行技術文献】
【特許文献】
【０００６】
【特許文献１】米国特許第７、９５４、７１６号
【発明の概要】
【発明が解決しようとする課題】
【０００７】
したがって、スマートフォン又は他の電子装置から遠隔で販売時点情報管理システム・トランザクション端末中にペイメント・カードのデータ又は他の情報を送信するための改善された装置及び方法が必要とされている。
【０００８】
本発明は、スマートフォン又は他の電子装置から遠隔で端末の磁気ストライプ・リーダを介して販売時点情報管理システム・トランザクション端末中にペイメント・カードのデータ又は他の情報を送信するベースバンド近距離磁気ストライプ・データ送信機のためのシステム及び方法を示す。
【課題を解決するための手段】
【０００９】
一般に、本発明の一態様は、携帯電話及び磁気ストライプ送信（ＭＳＴ：ｍａｇｎｅｔｉｃ  ｓｔｒｉｐｅ  ｔｒａｎｓｍｉｓｓｉｏｎ）装置を含むベースバンド近距離磁気ストライプ・データ送信機のためのシステムを提供する。携帯電話は、支払いお財布アプリケーションを含み、ペイメント・カードの磁気ストライプ・データを送信するように構成される。磁気ストライプ送信（ＭＳＴ）装置は、ドライバ及びインダクタを含む。ＭＳＴは、携帯電話から磁気ストライプ・データを受信し、受信された磁気ストライプ・データを処理し、処理済み磁気ストライプ・データを含む高エネルギー磁気パルスを送出するように構成される。
【００１０】
本発明のこの態様の実施は、次の事項を含む。送出された高エネルギー磁気パルスは、磁気読み出しヘッドによって遠隔で検出されるように構成され、磁気読み出しヘッドは、高エネルギー磁気パルスを電気パルスに変換する。磁気読み出しヘッドは、販売時点情報管理システム（ＰＯＳ）装置中に含まれ、ＰＯＳは、中央処理装置（ＣＰＵ：ｃｅｎｔｒａｌ  ｐｒｏｃｅｓｓｉｎｇ  ｕｎｉｔ）をさらに含む。ＭＳＴ装置は、磁気ストライプ・データを検出するように構成される磁気ストライプ・リーダ（ＭＳＲ：ｍａｇｎｅｔｉｃ  ｓｔｒｉｐｅ  ｒｅａｄｅｒ）ヘッドをさらに含む。送出された高エネルギー磁気パルスは、２．５４〜５．０８ｃｍ（１〜２インチ）の範囲の距離から磁気読み出しヘッドによって遠隔で検出される。ＭＳＴドライバは、高出力ドライバ回路を含む。インダクタは、１つ又は複数の巻線を有し、磁束線を発生するように構成され、その磁束線は、磁気読み出しヘッドの検知開口部を含むのに十分広い寸法を持つようにされた領域にわたって広げられる。インダクタは、適正にタイミングを合わされた電流パルスが、それらの最大値に到達するように設定されるインダクタンス値を有し、それによって磁気読み出しヘッド中で最大誘導電圧が生じる。インダクタのインダクタンス値と抵抗値の比は、１０μＨ／オームと８０μＨ／オームの間の範囲中にある。１つ又は複数の巻線は、エナメル絶縁磁気ワイヤを含む。１つ又は複数の巻線は、剛性又は可撓性のプリント回路基板上にレイアウトされたコンダクタ・トレース（ｃｏｎｄｕｃｔｏｒ  ｔｒａｃｅ）を含む。１つ又は複数の巻線は、矩形に形作られる。送出された高エネルギー磁気パルスは、２．５４〜５．０８ｃｍ（１〜２インチ）の範囲の距離から磁気読み出しヘッドによって遠隔で検出される。ＭＳＴ装置は、携帯電話から携帯電話のオーディオ・ジャックへの有線接続を介して磁気ストライプ・データを受信するように構成される。ＭＳＴ装置は、携帯電話から無線接続を介して磁気ストライプ・データを受信するように構成される。ＭＳＴ装置は、携帯電話からブルートゥース（商標）無線接続を介して磁気ストライプ・データを受信するように構成される。携帯電話は、別個のセキュア無線メッセージ及び磁気ストライプ・データを送信するようにさらに構成され、別個のセキュア無線メッセージは、認証目的で組み合わされる。ＭＳＴ装置は、セキュア・マイクロコントローラをさらに含むことができ、セキュア・マイクロコントローラは、ペイメント・カードのデータのセキュア・ローカル記憶を形成し、ドライバのインダクタ・ドライバ回路を直接駆動する。ＭＳＴは、セキュア・マイクロコントローラを使用して、ペイメント・カードのデータの一部又は全部を暗号化する。ＭＳＴ装置は、ペイメント・カードのデータ及び他の個人情報を安全確実に記憶するために、揮発性及び不揮発性のメモリをさらに含む。送出された高エネルギー磁気パルスは、トークン化された磁気ストライプ・データを含む。トークン化された磁気ストライプ・データは、暗号化されて生成されたトークンを含み、暗号化されて生成されたトークンは、トラック・データとしてフォーマットされる。送出された高エネルギー磁気パルスは、２つ���上のトラック・データを含む。磁気ストライプ・データ以外のデータは、磁気ストライプ・データに似たものとなるようにフォーマットされ、そのようにフォーマットされたデータは、ＭＳＴ装置を介してＰＯＳ装置の磁気読み出しヘッドに送信される。ＭＳＴ装置は、ＰＯＳ装置の磁気読み出しヘッドにクーポン及び特別サービス（ｏｆｆｅｒ）を送信するようにさらに構成される。ＭＳＴ装置は、ＰＯＳ装置の磁気読み出しヘッドに顧客の個人情報を送信するようにさらに構成される。
【００１１】
一般に、別の態様では、本発明は、ドライバと、インダクタと、第１の磁気読み出しヘッドとを含む磁気ストライプ送信（ＭＳＴ）装置を提供する。ＭＳＴ装置は、ペイメント・カードのデータを含む磁気ストライプ・データを受信し、受信された磁気ストライプ・データを処理し、処理済み磁気ストライプ・データを含む高エネルギー磁気パルスを送出するように構成される。送出された高エネルギー磁気パルスは、販売時点情報管理システム（ＰＯＳ）装置中に含まれる第２の磁気読み出しヘッドによって検出されるように構成される。ＭＳＴ装置の第１の磁気読み出しヘッドは、ＭＳＴ装置のセキュア・メモリ中に、又はお財布携帯中に記憶するために、磁気ストライプ・ペイメント・カードのデータを読み出すように構成される。
【００１２】
図を参照すると、同様の数字は、いくつかの図にわたって同様の要素を表す。
【図面の簡単な説明】
【００１３】
【図１】本発明によるベースバンド近距離磁気ストライプ・データ送信機システムの概観図である。
【図２】必要な磁場を発生するために使用される代表的なインダクタの概略図である。
【図３】本発明によるベースバンド近距離磁気ストライプ・データ送信機システムの別の実施例の概観図である。
【発明を実施するための形態】
【００１４】
本発明は、スマートフォン又は他の電子装置から販売時点情報管理システム・トランザクション端末中にペイメント・カードのデータを送信するベースバンド近距離磁気ストライプ・データ送信機のためのシステム及び方法を示す。
【００１５】
ベースバンド近距離磁気ストライプ送信（ＭＳＴ：Ｍａｇｎｅｔｉｃ  Ｓｔｒｉｐｅ  Ｔｒａｎｓｍｉｓｓｉｏｎ）、すなわち本発明の主題は、パルス変調磁場を使用して、スマートフォンからＰＯＳ端末中に、所定の距離からデータを送信する。システムは、カードがリーダ・ヘッドに接触することも近接（１ｍｍ以下）することもなく、又はカード・リーダ・スロット中に挿入する必要もなく、カード・データをＰＯＳ端末のリーダ中に送信することができる。さらに、システムは、磁気ストライプ・カード、又はＮａｒｅｎｄａ及び他による米国特許第７、９５４、７１６号に記載されているような先行技術による磁気ストライプのエミュレーション若しくは電子磁気ストライプに必要とされる機械に通す動作の必要性を解消する。
【００１６】
磁場が、高出力ドライバ回路によって駆動される、特別設計のインダクタによって生成される。インダクタの独特な構造により、所定の距離からＰＯＳ端末中に位置決められた磁気ストライプ・リーダ・ヘッドに貫通することができる、複雑な無指向性の磁場がもたらされる。
【００１７】
図２を参照すると、インダクタ１２４は、外形寸法が約４０×３０ｍｍ、束厚さが３ｍｍである、１つ又は複数の矩形のワイヤ束（複数可）１２５を含む。インダクタ１２４は、適正にタイミングを合わされた電流パルスが各パルスの終了時にその最大値に到達するような値のインダクタンスを有する。また、磁気ストライプ・カードが磁気リーダ・ヘッドの前を通されたとき磁気リーダ・ヘッドによって理解される磁気信号に非常に似ている磁場をもたらすようにドライバ回路からの電流を成形するうえで、インダクタンス値と巻線抵抗値の比は決定的な事項である。一例では、巻線抵抗に対するインダクタンスの比は、８０μＨ／オームである。
【００１８】
インダクタの物理的な形状によって、磁束線が、リーダ・ヘッドの検知開口部を含むのに十分に広い領域にわたって広がることが保証される。インダクタ巻線は、エナメル絶縁磁気ワイヤとしてもよく、又は代替えとして、インダクタは、剛性又は可撓性のプリント回路基板上にレイアウトされたコンダクタ・トレースによって形成されたスパイラル・インダクタとして実現してもよい。
【００１９】
インダクタは静止しているが、インダクタは一連のタイミングを合わされた電流パルスによって駆動され、移動している磁気ストライプによって生成される変動磁場に似ている一連の磁気パルスをもたらすことになる。標準の磁気ストライプのコード化の後に磁場変調が続き、次いで、それによってリーダの出力において、磁気ストライプから得られるはずのものに同一である電気パルスのストリームがもたらされることになる。
【００２０】
ＭＳＴの重要な利点は、ＭＳＴが販売時点情報管理システム・カード支払い端末の既存のインフラと共に働くということである。ＮＦＣ又は２次元バーコードとは異なり、外部リーダ又は新しい端末を設置する必要がない。
【００２１】
図１を参照すると、本発明の一実施例１００では、適切なドライバ１２２及びインダクタ１２４が小さなカプセル１２０中に収容され、カプセル１２０は、携帯電話１１０のオーディオ・ジャック１１２に接続される。スマートフォン１１０には、お財布ソフトウェア・アプリケーション１０２がロードされている。電話１１０は、そのオーディオ・ジャック１１２を介して磁気ストライプ送信機１２０に接続される。標準のＩＳＯ／ＡＢＡ磁気ストライプ・カード１４０を読むことが可能な通常のカード支払い端末を備えた販売時点の場所で支払いをするために、顧客は、そのスマートフォン１１０上でお財布アプリケーション１０２を選択し、支払いに使用したい組み込み済のペイメント・カード（すなわち、Ｖｉｓａ、Ｍａｓｔｅｒｃａｒｄ、Ａｍｅｘ）の１つを選択する。顧客は、販売時点情報管理システム端末１４０に携帯電話を近づけて（２．５４〜５．０８ｃｍ（１〜２インチ））保持し、電話１１０上の支払いアイコン／キー１０４を押す。電話１１０中のお財布アプリケーション１０２によって、選択されたカードの磁気ストライプ・データを含むパルスのストリームが、オーディオ・ジャック１１２を介してＭＳＴ１２０に送られる。ＭＳＴ１２０は、そのパルスを増幅し、適切に変調された高エネルギーの磁気インパルス１３０に成形し、それを送出する。磁気インパルス１３０は、販売時点情報管理システム支払い端末１４０中に位置決められた磁気ストライプ・リーダ・ヘッド１４２によって検出され、電気パルスに変換される。その結果得られた電気パルスは、復号器１４４によって復号され、その中央処理装置（ＣＰＵ）１４６が、そのリーダ・スロットを通された標準の磁気ストライプ・カードを処理することになるのと同様に、中央処理装置（ＣＰＵ）１４６によって処理される。小売商人が支払い金額を入力し、そのトランザクションが、ＰＯＳ端末１４０によってネットワーク１５０を介して支払いトランザクション・プロセッサ１６０に送られる。トランザクション・プロセッサ１６０は、トランザクション認証を返し、ＰＯＳ端末１４０は、レシートをプリントする。カード入力方法を除き、全トランザクションは、標準の磁気ストライプ・カードの場合と同様の方法で完結する。
【００２２】
ＭＳＴ１２０の別の実施例では、セキュリティが、支払い端末を通じて送信されるトランザクションを別個のセキュア無線メッセージをプロセッサに送ることによって補完するスマートフォンによって向上され、２つのトランザクションは、認証目的のために組み合わされる。
【００２３】
図３を参照すると、別の実施例では、ＭＳＴ１２０は、磁気ストライプ・リーダ（ＭＳＲ）ヘッド１４２ａと一体化されて、磁気ストライプ情報の読み出しと送信の両方を実施することができる単一装置が生成される。電子お財布１０２と連結したＭＳＴとＭＳＲの組み合わせは、ペイメント・カードを電子お財布中にロードし、ペイメント・カードのデータをＰＯＳシステム１４０にその後で送信する好都合でセキュアな手段をもたらす。さらに、この実施例は、各個人がＭＳＴを備えており、カードリーダがその人のＭＳＴに含まれている状態で自分のカード情報を他の人の携帯電話に送信することができる場合、クレジット又はデビットのカードを使用して個人対個人の間の好都合な支払いを可能にする。
【００２４】
別の実施例では、磁気ストライプの送信は、トークン化されたカード・データを販売時点情報管理システム端末に送信するために使用される。この実施例では、実際のペイメント・カード番号が、暗号化して生成されたトークンと置き換えられ、トークンは、標準の会員番号（ＰＡＮ：Ｐｒｉｍａｒｙ  Ａｃｃｏｕｎｔ  Ｎｕｍｂｅｒ）に似たものとなるようにフォーマットされるトークン・データを含むトラック・データとしてフォーマットされる。ＰＡＮは、有効な銀行識別コード（ＢＩＮ：Ｂａｎｋ  Ｉｄｅｎｔｉｆｉｃａｔｉｏｎ  Ｎｕｍｂｅｒ）を含んでもよい。そのようなトークンは、カード発行者からか、又は別のオンラインのソースからダウンロードされる、或いはローカルに生成される。トークンのＭＳＴによる送信は、１つのトランザクションに関してのみ有効である、暗号化して生成されたトークンを送信することによって、有効なカード番号の送信に取って代わり、したがって、既存の販売時点情報管理システム・ハードウェアを変更する必要がなく、標準の磁気ストライプに固有なセキュリティのリスクがすべて解消される。他の実施例では、既存の販売時点情報管理システムのハードウェア及びソフトウェアとの互換性を高めるために、２つ以上のトラック・データが送信される。これらの実施例では、トラック１データの送信の後にトラック２データの送信が続いてもよい、或いはトラック２データの後にトラック１データが続いてもよい。
【００２５】
さらなる実施例では、また、ＭＳＴ１２０は、カード・データのセキュア・ローカル記憶を形成し、インダクタ・ドライバ回路１２２を直接駆動するセキュア・マイクロコントローラ１２６を含む。この実施例は、ＭＳＴが電話から取り外されて記憶送信モードで作動することを可能にする。いくつかの実施例では、ＭＳＴは、カード・データ及び他の個人情報の安全確実な記憶のために、揮発性及び不揮発性のメモリをさらに含む。
【００２６】
また別の可能な実施例は、電話１１０とＭＳＴ１２０の間のブルートゥース（登録商標）通信を使用し、両方向通信が、ＭＳＴのセキュア・マイクロコントローラ１２６によって形成されたセキュア要素中に記憶されたカード・データの電話による検索を含む、セキュリティ及びフレキシビリティを高めるために、使用される。
【００２７】
また別の可能な実装形態では、ＭＳＴ１２０は、その内蔵のセキュア・マイクロコントローラ１２６を使用して、カード・データの一部又は全部を暗号化し、磁場を介してそれを販売時点情報管理システム・カードリーダに送信する。
【００２８】
また別の可能な実装形態では、ペイメント・カードのデータは、動的に変化させるカード照合値（ＣＶＶ：ｃａｒｄ  ｖｅｒｉｆｉｃａｔｉｏｎ  ｖａｌｕｅ）データを含む。この場合、トランザクションのセキュリティは、ＣＶＶデータの動的な変化によって高められる。
【００２９】
本発明のいくつかの実施例を述べてきた。しかしながら、本発明の趣旨及び範囲から逸脱せずに、様々な修正を行うことができることを理解されたい。したがって、他の実施例は、次の請求項の範囲に含まれる。
【図２】
2016507104.tif 000003
【図１】
2016507104.tif 000004
【図３】
2016507104.tif 000005
【国際調査報告】
2016507104.tif 000006
2016507104.tif 000007